(57)【要約】【課題】屋外の騒音が屋内に入り込むのを抑制することで、建物内の人が不快感を感じるのを抑制することができる建物の換気システムを提供する。【解決手段】建物１０に設けられた換気システム３０は、屋外に通じる取込ダクト３２と、それよりも下流側で複数に分岐された給気ダクト３４とを備える。各給気ダクト３４は居室１４〜１６の天井部に設けられた給気グリル３６と接続されている。この場合、取込ダクト３２の内部及び各給気ダクト３４の内部等により屋外の空気を屋内の各居室１４〜１６へ供給するための換気通路が構成されている。給気ダクト３４の内部と給気グリル３６の内部とにより、上記換気通路の一部である給気通路部４６が構成されている。そして、各給気グリル３６には、給気通路部４６を開閉する開閉装置４１が設けられ、コントローラは、屋外で騒音が発生していると判定した場合に給気通路部４６を閉鎖するよう開閉装置４１を制御する。【選択図】      図１
2019070489.tif 000002
【特許請求の範囲】
【請求項１】
屋外から屋内へと延びる換気通路を備え、その換気通路を通じて屋内の換気を行う建物の換気システムであって、
前記換気通路を開閉する開閉装置と、
屋外で騒音が発生しているか否かを判定する騒音判定手段と、
その騒音判定手段により屋外で騒音が発生していると判定された場合に、前記換気通路を閉鎖するよう前記開閉装置を制御する開閉制御手段と、
を備えることを特徴とする建物の換気システム。
【請求項２】
前記建物には、前記換気通路が通じている屋内空間が設けられ、
その屋内空間における人の有無を検知する人検知手段を備え、
前記開閉制御手段は、前記人検知手段により人が検知された場合に、前記換気通路を閉鎖するよう前記開閉装置を制御することを特徴とする請求項１に記載の建物の換気システム。
【請求項３】
前記換気通路は、屋外に通じる第１通路部と、その第１通路部よりも屋内側で分岐され互いに異なる前記屋内空間にそれぞれ通じる複数の第２通路部とを有しており、
前記第１通路部及び前記各第２通路部を通じて屋外の空気が前記各屋内空間に取り込まれるようになっており、
前記開閉装置は、前記各第２通路部ごとに設けられ、それぞれが前記第２通路部を開閉するようになってあり、
前記人検知手段は、前記各屋内空間ごとに人の有無を検知し、
前記開閉制御手段は、前記人検知手段による人の検知があった場合に、人の検知された前記屋内空間に通じる前記第２通路部を閉鎖するよう前記各開閉装置を制御することを特徴とする請求項２に記載の建物の換気システム。
【請求項４】
前記換気通路において前記各第２通路部への分岐部分よりも上流側に設けられ、当該換気通路を通じて屋外の空気を前記各屋内空間に搬送する換気装置と、
前記換気装置の作動を制御する換気制御手段と、を備え、
前記開閉制御手段は、前記人検知手段により人が検知された前記屋内空間が前記各屋内空間のうちの一部である場合には、その一部の屋内空間に通じる前記第２通路部を閉鎖し、かつそれ以外の屋内空間に通じる前記第２通路部を開放する一部開放処理を行うよう前記各開閉装置を制御し、
前記換気制御手段は、前記開閉制御手段により前記一部開放処理が行われている場合には、前記換気装置を作動させることを特徴とする請求項３に記載の建物の換気システム。
【請求項５】
前記換気通路は、屋外に通じる第１通路部と、その第１通路部よりも屋内側で分岐され互いに異なる屋内空間にそれぞれ通じる複数の第２通路部とを有しており、
前記第１通路部及び前記各第２通路部を通じて屋外の空気が前記各屋内空間に取り込まれるようになっており、
前記開閉装置は、前記第１通路部を開閉するものであることを特徴とする請求項１に記載の建物の換気システム。
【請求項６】
前記開閉装置は、前記換気通路内に設けられ当該換気通路を開閉する開閉体と、その開閉体を開閉駆動する開閉駆動部とを有し、
前記開閉体は、吸音材を有して形成されていることを特徴とする請求項１乃至５のいずれか一項に記載の建物の換気システム。
【発明の詳細な説明】
【技術分野】
【０００１】
本発明は、建物の換気システムに関する。
【背景技術】
【０００２】
住宅等の建物には、屋内の換気を行う換気システムが設けられている場合がある（例えば特許文献１参照）。換気システムは、屋外から屋内へ延びる換気通路（通気ダクト等）を備えており、その換気通路を通じて屋外の空気を屋内に取り込んだり又は屋内の空気を屋外へ排出したりして換気を行うものとなっている。
【先行技術文献】
【特許文献】
【０００３】
【特許文献１】特開平９−７９６４８号公報
【発明の概要】
【発明が解決しようとする課題】
【０００４】
ここで、上述した換気システムでは、換気通路が屋外から屋内に延びているため、その換気通路を通じた屋内換気時に、当該換気通路を通じて屋外の騒音が屋内に入り込む場合が想定される。例えば、建物周辺で工事が行われている場合に、その工事の騒音が屋内に入り込むことが想定される。その場合、その騒音により建物内の人が不快感を感じるおそれがあり、その対策が求められる。
【０００５】
本発明は、上記事情に鑑みてなされたものであり、屋外から屋内へ延びる換気通路を有する構成にあって、その換気通路を通じて屋外の騒音が屋内に入り込むのを抑制することで、建物内の人が不快感を感じるのを抑制することができる建物の換気システムを提供することを主たる目的とするものである。
【課題を解決するための手段】
【０００６】
上記課題を解決すべく、第１の発明の建物の換気システムは、屋外から屋内へと延びる換気通路を備え、その換気通路を通じて屋内の換気を行う建物の換気システムであって、前記換気通路を開閉する開閉装置と、屋外で騒音が発生しているか否かを判定する騒音判定手段と、その騒音判定手段により屋外で騒音が発生していると判定された場合に、前記換気通路を閉鎖するよう前記開閉装置を制御する開閉制御手段と、を備えることを特徴とする。
【０００７】
本発明によれば、屋外で騒音が発生した場合には、屋外から屋内へと延びる換気通路が開閉装置により閉鎖されるため、屋外の騒音が換気通路を通じて屋内に入り込むのを抑制することができる。これにより、屋外の騒音により建物内の人が不快感を感じるのを抑制することができる。
【０００８】
第２の発明の建物の換気システムは、第１の発明において、前記建物には、前記換気通路が通じている屋内空間が設けられ、その屋内空間における人の有無を検知する人検知手段を備え、前記開閉制御手段は、前記人検知手段により人が検知された場合に、前記換気通路を閉鎖するよう前記開閉装置を制御することを特徴とする。
【０００９】
屋外の騒音が換気通路を通じて屋内空間に入り込んだ場合でも、その屋内空間に人がいないときには騒音により人が不快感を感じる問題が生じない。そこで本発明では、その点に鑑み、換気通路が通じている屋内空間に人がいる場合に換気通路を閉鎖するようにしている。これにより、かかる屋内空間に人がいないにもかかわらず換気通路が閉鎖され、無駄に屋内空間の換気が停止されてしまうことを回避することができる。
【００１０】
第３の発明の建物の換気システムは、第２の発明において、前記換気通路は、屋外に通じる第１通路部と、その第１通路部よりも屋内側で分岐され互いに異なる前記屋内空間にそれぞれ通じる複数の第２通路部とを有しており、前記第１通路部及び前記各第２通路部を通じて屋外の空気が前記各屋内空間に取り込まれるようになっており、前記開閉装置は、前記各第２通路部ごとに設けられ、それぞれが前記第２通路部を開閉するようになってあり、前記人検知手段は、前記各屋内空間ごとに人の有無を検知し、前記開閉制御手段は、前記人検知手段による人の検知があった場合に、人の検知された前記屋内空間に通じる前記第２通路部を閉鎖するよう前記各開閉装置を制御することを特徴とする。
【００１１】
屋外の空気が第１通路部及び各第２通路部（つまり換気通路）を通じて複数の屋内空間に取り込まれる（供給される）構成では、屋外の騒音がそれら各通路部を介して各屋内空間に伝達されることが想定される。そこで本発明では、各第２通路部ごとに開閉装置を設けるとともに、各屋内空間のうち人の検知があった屋内空間に通じる第２通路部を開閉装置により閉鎖するようにしている。これにより、各屋内空間のうちいずれの屋内空間に人がいても、その屋内空間に騒音が伝達されるのを抑制することができる。
【００１２】
第４の発明の建物の換気システムは、第３の発明において、前記換気通路において前記各第２通路部への分岐部分よりも上流側に設けられ、当該換気通路を通じて屋外の空気を前記各屋内空間に搬送する換気装置と、前記換気装置の作動を制御する換気制御手段と、を備え、前記開閉制御手段は、前記人検知手段により人が検知された前記屋内空間が前記各屋内空間のうちの一部である場合には、その一部の屋内空間に通じる前記第２通路部を閉鎖し、かつそれ以外の屋内空間に通じる前記第２通路部を開放する一部開放処理を行うよう前記各開閉装置を制御し、前記換気制御手段は、前記開閉制御手段により前記一部開放処理が行われている場合には、前記換気装置を作動させることを特徴とする。
【００１３】
本発明によれば、各屋内空間のうち一部の屋内空間にのみ人がいる場合には、その一部の屋内空間に通じる第２通路部が閉鎖される一方、それ以外の第２通路部は開放される。そして、かかる第２通路部の一部開放状態において換気装置が作動される。この場合、開放された第２通路部を通じて屋外の空気が人のいない屋内空間に搬送されるため、屋内にいる人が屋外の騒音により不快感を感じるのを抑制しながら、屋内の換気を行うことが可能となる。
【００１４】
第５の発明の建物の換気システムは、第１の発明において、前記換気通路は、屋外に通じる第１通路部と、その第１通路部よりも屋内側で分岐され互いに異なる屋内空間にそれぞれ通じる複数の第２通路部とを有しており、前記第１通路部及び前記各第２通路部を通じて屋外の空気が前記各屋内空間に取り込まれるようになっており、前記開閉装置は、前記第１通路部を開閉するものであることを特徴とする。
【００１５】
屋外の空気が第１通路部及び各第２通路部（つまり換気通路）を通じて複数の屋内空間に取り込まれる（供給される）構成では、屋外の騒音がそれら各通路部を介して各屋内空間に伝達されることが想定される。そこで本発明では、第１通路部に開閉装置を設け、屋外で騒音が発生した場合にはその開閉装置により第１通路部を閉じるようにしている。この場合、屋外の騒音が第１通路部を通じて各第２通路部へ伝わるのを抑制することができるため、その結果、各第２通路部を通じて各屋内空間へ騒音が伝わるのを抑制することができる。これにより、一の開閉装置により複数の屋内空間への騒音の伝達を効果的に抑制することができる。
【００１６】
第６の発明の建物の換気システムは、第１乃至第５のいずれかの発明において、前記開閉装置は、前記換気通路内に設けられ当該換気通路を開閉する開閉体と、その開閉体を開閉駆動する開閉駆動部とを有し、前記開閉体は、吸音材を有して形成されていることを特徴とする。
【００１７】
本発明によれば、換気通路内において同通路を開閉する開閉体が吸音材を有して形成されているため、開閉体による換気通路の閉鎖時に屋外の騒音が屋内に伝達されるのをより一層抑制することができる。
【図面の簡単な説明】
【００１８】
【図１】換気システムが設けられた建物を示す図。
【図２】開閉装置が設けられた給気グリル内の構成を示す縦断面図。
【図３】換気システムの電気的構成を示す図。
【図４】換気制御処理を示すフローチャート。
【発明を実施するための形態】
【００１９】
以下に、本発明を具体化した一実施の形態について図面を参照しつつ説明する。なお、図１は、換気システムが設けられた建物を示す図である。
【００２０】
図１に示すように、住宅等の建物１０は、一階部分１１と二階部分１２とを有する二階建ての建物となっている。一階部分１１には、屋内空間として、居室１４〜１６や洗面室１７等が設けられている。これら屋内空間１４〜１７の上方には天井裏空間１８が設けられている。天井裏空間１８は、一階部分１１と二階部分１２との間の階間に位置する階間空間として形成されている。
【００２１】
上記各屋内空間１４〜１７において隣り合う屋内空間同士は、仕切壁２１により仕切られている。仕切壁２１には、隣り合う屋内空間を連通する通気部２２が形成されている。通気部２２は、仕切壁２１に通気口として形成されていたり、仕切壁２１に設けられた出入口ドアのアンダーカットとして形成されていたりする。この通気部２２を通じて隣り合う屋内空間の間で通気が可能となっている。
【００２２】
本実施形態の建物１０には、一階部分１１及び二階部分１２にそれぞれ全館式の換気システムが設けられている。以下においては、これら換気システムのうち、一階部分１１の換気システム３０について説明する。なお、二階部分１２にも、一階部分１１と同様の換気システムが設けられている。
【００２３】
換気システム３０は、一階部分１１における複数の屋内空間を対象として換気を行うシステムとなっており、天井裏空間１８に設置されている。換気システム３０は、換気装置３１を備える。換気装置３１は、天井裏空間１８において洗面室１７の上方に設置されている。詳しくは、洗面室１７の天井は居室１４〜１６の天井よりも低い位置に設定された下がり天井となっており、その下がり天井の上方に換気装置３１が設置されている。
【００２４】
換気装置３１には、取込ダクト３２と排出ダクト３３とが接続されている。取込ダクト３２と排出ダクト３３とはいずれも屋外に通じている。取込ダクト３２は、その端部に屋外に開口された取込口３２ａを有し、排出ダクト３３は、その端部に屋外に開口された排出口３３ａを有している。これら取込口３２ａ及び排出口３３ａは建物１０の外壁２８に設けられ、上下に並んで配置されている。
【００２５】
換気装置３１には、複数（本実施形態では４つ）の給気ダクト３４が接続されている。各給気ダクト３４はそれぞれ各居室１４〜１６に設けられた給気グリル３６に接続されている。給気グリル３６は、各居室１４〜１６の天井部にそれぞれ設けられ、詳しくは居室１４の天井部には給気グリル３６が複数（本実施形態では２つ）設けられ、各居室１５，１６の天井部には給気グリル３６が１つだけ設けられている。また、洗面室１７の天井部には、吸込グリル３７が設けられている。吸込グリル３７は、換気装置３１と接続されている。
【００２６】
換気装置３１は、取込ファン３８と排出ファン３９とを有している。取込ファン３８が作動すると、取込ダクト３２を介して屋外の空気（外気）が換気装置３１に取り込まれ（導入され）、その取り込まれた空気が各給気ダクト３４を介して各給気グリル３６へ供給される。そして、それら供給された空気が各給気グリル３６より居室１４〜１６に吹き出される。
【００２７】
なお、この場合、取込ダクト３２（詳しくはその内部空間）により「第１通路部」が形成されている。また、給気ダクト３４と、その給気ダクト３４が接続されている給気グリル３６と（詳しくはそれら両者３４，３６の内部空間）により給気通路部４６（図２も参照）が形成され、その給気通路部４６が「第２通路部」に相当する。この給気通路部４６は、取込ダクト３２（第１空間部）よりも下流側で分岐されて複数設けられ、それら複数の給気通路部４６がそれぞれ居室１４〜１６に通じている。また、取込ダクト３２（詳しくはその内部空間）及び各給気ダクト３４（詳しくは給気通路部４６）等により換気通路４７が形成され、その換気通路４７が屋外から屋内に延びている。また、各居室１４〜１６がそれぞれ「換気通路（第２通気部）が通じている屋内空間」に相当する。
【００２８】
上述したように、各給気グリル３６より居室１４〜１６に吹き出された（供給された）空気は、その後、仕切壁２１に形成された通気部２２を通じて洗面室１７へと流れ込む（還流する）。一階部分１１には、各居室１４〜１６に供給された空気を洗面室１７へと還流させる還流経路が各通気部２２を含んで形成されている。そして、その還流経路を通じて各居室１４〜１６から洗面室１７へと空気が還流するようになっている。
【００２９】
排出ファン３９が作動すると、洗面室１７へ流れ込んだ空気が吸込グリル３７を介して換気装置３１に取り込まれ、その取り込まれた空気が排出ダクト３３を介して屋外へ排出される。このように、本換気システム３０では、一階部分１１において各居室１４〜１６の換気が行われるようになっている。
【００３０】
なお、本換気システム３０では、基本的に、常時換気装置３１による換気運転（つまり２４時間換気運転）が行われるものとなっている。換気装置３１の作動時（運転時）には、取込ファン３８と排出ファン３９とがいずれも作動状態となり、換気装置３１の作動停止時には各ファン３８，３９の作動がいずれも停止されるようになっている。
【００３１】
また、図示は省略するが、換気装置３１内には、取込ダクト３２を介して換気装置３１に取り込まれる屋外の空気と、吸込グリル３７を介して換気装置３１に取り込まれる屋内の空気との間で熱交換を行わせる熱交換器が設けられている。これにより、換気装置３１から各給気ダクト３４を介して居室１４〜１６へ供給される空気（外気）の温度をあらかじめ屋内の温度に近づけておくことが可能となっている。
【００３２】
ところで、上述した換気システム３０では、取込ダクト３２や各給気ダクト３４により形成される換気通路４７が屋外から屋内へと延びているため、屋外で騒音が発生した場合に、その騒音が換気通路４７を通じて居室１４〜１６に入り込むおそれがある。そこで、本換気システム３０では、そのような点に鑑み、屋外の騒音が換気通路４７を通じて屋内に入り込むの抑制するための構成を設けており、以下においては、その構成について説明する。
【００３３】
各給気グリル３６には、給気通路部４６を開閉する開閉装置４１が設けられている。図２には、この開閉装置４１が設けられた給気グリル３６内の構成が示されている。図２に示すように、開閉装置４１は、給気グリル３６内に設けられ給気通路部４６を開閉する一対の開閉体４２と、それら開閉体４２を開閉駆動する開閉駆動部４３（例えば電動モータ等）とを備える。開閉体４２は、板状に形成され、軸部４４を介して給気グリル３６に回動可能に取り付けられている。各開閉体４２は、その軸部４４を中心とした回動により給気通路部４６を開閉する構成となっている。つまり、各開閉体４２は、給気通路部４６を開放する開状態と、給気通路部４６を閉鎖する閉状態（図２の一点鎖線を参照）とに移行可能となっており、各開閉体４２の開状態においては、給気通路部４６を通じた居室１４〜１６への空気の供給が許容される一方、各開閉体４２の閉状態においては、給気通路部４６を通じた居室１４〜１６への空気の供給が禁止されるようになっている。
【００３４】
このような構成では、各給気通路部４６ごとに開閉装置４１（開閉体４２）により給気通路部４６を個別に開閉することが可能となっている。これにより、一部の給気通路部４６のみを開放させた状態で、換気装置３１（取込ファン３８，排出ファン３９）を作動させることで、各居室１４〜１６のうち、当該一部の給気通路部４６が通じる居室にのみ当該給気通路部４６を通じて屋外の空気を供給することが可能となっている。
【００３５】
開閉体４２は、金属製の板材からなる開閉体本体４２ａと、その開閉体本体４２ａの片面に重ねて設けられた板状の吸音材４２ｂとを有している。吸音材４２ｂは、吸音性能に優れる材料（素材）により形成され、例えば発泡ポリウレタンにより形成されている。吸音材４２ｂは、開閉体４２の閉状態において板面が給気通路部４６の上流側（換言すると第１通路部側）を向くように配置されている。なお、開閉体４２の構成は必ずしもかかる構成に限ることはなく、例えば開閉体４２の全体を吸音材により形成してもよい。
【００３６】
次に、換気システム３０の電気的構成について図１に加え図３に基づいて説明する。図３は換気システム３０の電気的構成を示す図である。
【００３７】
建物１０には、屋外の騒音を検知する騒音センサ５２が設けられている。騒音センサ５２は、建物１０周辺で発生した騒音を検知するものであり、例えば建物１０の外壁２８に設けられている。詳しくは、騒音センサ５２は、建物１０の外周に設けられた各外壁２８のうち、取込ダクト３２の取込口３２ａ及び排出ダクト３３の排出口３３ａが設けられた外壁２８（以下、外壁２８ａという）と同じ外壁２８ａに設けられ、より詳しくは取込口３２ａ及び排出口３３ａの付近に配置されている。
【００３８】
建物１０には、各居室１４〜１６にそれぞれ人検知センサ５３が設けられている。人検知センサ５３は、同センサ５３が設けられた居室１４〜１６を検知対象として人の有無を検知するものである。なお、各居室１４〜１６の人検知センサ５３が人検知手段に相当する。
【００３９】
図３に示すように、換気システム３０は、開閉制御手段及び換気制御手段としてのコントローラ５１を備える。コントローラ５１は、ＣＰＵ等を周知のマイクロコンピュータを主体に構成されており、例えば居室１４の壁面に設けられている。
【００４０】
コントローラ５１には、騒音センサ５２と各人検知センサ５３とが接続されている。コントローラ５１には、これら各センサ５２，５３から逐次検知結果が入力される。また、コントローラ５１には、換気装置３１（取込ファン３８及び排出ファン３９）と各開閉装置４１（開閉駆動部４３）とが接続されている。コントローラ５１は、上記各センサ５２，５３からの検知結果に基づき、換気装置３１の作動を制御するとともに、各開閉装置４１の開閉制御を行う。
【００４１】
次に、コントローラ５１により実行される換気制御処理について図４に示すフローチャートに基づいて説明する。なお、本処理は、所定の周期で繰り返し実行される。
【００４２】
図４に示すように、まずステップＳ１１では、騒音センサ５２からの検知結果に基づき、屋外で騒音が発生しているか否かを判定する（騒音判定手段に相当）。具体的には、騒音センサ５２により検知された騒音値が所定値を超えた場合に屋外で騒音が発生していると判定し、騒音センサ５２により検知された騒音値が所定値以下である場合に屋外で騒音が発生していないと判定する。屋外で騒音が発生している場合にはステップＳ１２に進む。
【００４３】
ステップＳ１２では、各人検知センサ５３からの検知結果に基づいて、各居室１４〜１６のうちいずれかに人が存在しているか否かを判定する。いずれかの居室１４〜１６に人が存在している場合にはステップＳ１３に進む。
【００４４】
ステップＳ１３では、各居室１４〜１６のうち、一部の居室にのみ人が存在しているのか、又はすべての居室１４〜１６に人が存在しているのかを判定する。一部の居室にのみ人が存在している場合にはステップＳ１４に進み、人が存在している居室がいずれの居室であるのかを特定する。
【００４５】
ステップＳ１５では、一部開放処理を行う。この処理では、各開閉装置４１のうち、ステップＳ１４で特定した居室（つまり人が存在する居室）に通じる給気通路部４６（以下、この符号にＸに付す）の開閉装置４１（以下、この符号にＸを付す）に閉信号を出力する。これにより、当該開閉装置４１Ｘの開閉駆動部４３により開閉体４２が閉状態とされ、給気通路部４６Ｘが閉鎖される。つまり、この場合、人が存在する居室に通じる給気通路部４６Ｘが閉鎖される。
【００４６】
また、一部開放処理では、各開閉装置４１のうち、上記開閉装置４１Ｘ以外の開閉装置４１（以下、この符号にＹを付す）に開信号を出力する。これにより、当該開閉装置４１Ｙの開閉駆動部４３により開閉体４２が開状態とされ、給気通路部４６（以下、この符号にＹを付す）が開放される。つまり、この場合、人が存在しない居室に通じる給気通路部４６Ｙが開放される。
【００４７】
続くステップＳ１６では、換気装置３１に作動信号を出力することで、換気装置３１を作動させる。これにより、各給気通路部４６のうち、上記開放された給気通路部４６Ｙを通じて屋外の空気が居室に、つまり人の存在しない居室に供給される。なお、このときすでに、換気装置３１が作動中である場合にはその作動を継続させる。その後、本処理を終了する。
【００４８】
先のステップＳ１３において、すべての居室１４〜１６に人が存在している場合にはステップＳ１７に進む。ステップＳ１７では、換気装置３１に対する作動信号の出力を停止することで、換気装置３１の作動を停止させる。これにより、各居室１４〜１６への屋外の空気の供給が停止される。なお、このときすでに、換気装置３１の作動が停止中である場合にはその停止状態を継続させる。
【００４９】
続くステップＳ１８では、全部閉鎖処理を行う。この処理では、各開閉装置４１のすべてに閉信号を出力する。これにより、各開閉装置４１によりすべての給気通路部４６が閉鎖される。その後、本処理を終了する。
【００５０】
上述したステップＳ１１において屋外で騒音が発生していない場合、又は、上述のステップＳ１２においていずれの居室１４〜１６にも人が存在しない場合にはステップＳ１９に進む。ステップＳ１９では、全部開放処理を行う。この処理では、各開閉装置４１のすべてに開信号を出力する。これにより、各開閉装置４１によりすべての給気通路部４６が開放状態とされる。続くステップＳ１６では、換気装置３１を作動させる。これにより、各給気通路部４６それぞれを通じて屋外の空気が各居室１４〜１６に供給される。その後、本処理を終了する。
【００５１】
以上、詳述した本実施形態の構成によれば、以下の優れた効果が得られる。
【００５２】
屋外で騒音が発生した場合に、屋外から屋内（各居室１４〜１６）へと延びる換気通路４７（詳しくは給気通路部４６）を開閉装置４１により閉鎖するようにしたため、屋外の騒音が換気通路４７を通じて居室１４〜１６に入り込むのを抑制することができる。これにより、屋外の騒音により居室１４〜１６にいる人が不快感を感じるのを抑制することができる。
【００５３】
屋外の騒音が換気通路４７を通じて居室１４〜１６に入り込む場合でも、その居室１４〜１６に人がいないときには騒音により人が不快感を感じる問題が生じない。そこで、上記の実施形態では、その点に鑑み、換気通路４７が通じている居室１４〜１６に人がいる場合に換気通路４７を閉鎖するようにしている。これにより、居室１４〜１６に人がいないにもかかわらず換気通路４７が閉鎖され、無駄に屋内の換気が停止されてしまうことを回避することができる。
【００５４】
具体的には、換気通路４７は、屋外に通じる取込ダクト３２（そのダクト内が第１通路部に相当）よりも下流側で分岐された複数の給気通路部４６（第２通路部に相当）を有しており、それら給気通路部４６が各居室１４〜１６に通じている。そして、このような構成にあって、各給気通路部４６ごとに同通路部４６を開閉する開閉装置４１を設け、各居室１４〜１６のうち人の検知された居室に通じる給気通路部４６を開閉装置４１により閉鎖するようにした。これにより、各居室１４〜１６のうちいずれの居室に人がいても、その居室に屋外の騒音が伝達されるのを抑制することができる。
【００５５】
また、各居室１４〜１６のうち一部の居室にのみ人がいる場合には、その一部の居室に通じる給気通路部４６を開閉装置４１により閉鎖し、それ以外の給気通路部４６を開閉装置４１により開放するようにした。そして、かかる給気通路部４６の一部開放状態において換気装置３１を作動するようにした。この場合、開放された給気通路部４６を通じて屋外の空気が人のいない居室に搬送されるため、居室にいる人が屋外の騒音により不快感を感じるのを抑制しながら、屋内の換気を行うことが可能となる。
【００５６】
開閉装置４１において、給気通路部４６（ひいては換気通路４７）に設けられ同通路部４６を開閉する開閉体４２を吸音材４２ｂを有して形成した。これにより、開閉体４２による給気通路部４６の閉鎖時に、屋外の騒音が居室１４〜１６に伝達されるのをより一層抑制することができる。
【００５７】
本発明は上記実施形態に限らず、例えば次のように実施されてもよい。
【００５８】
・上記実施形態では、各給気通路部４６（各第２通路部）ごとに開閉装置４１を設けたが、これを変更して、開閉装置を例えば取込ダクト３２（その内部が第１通路部に相当）に設け、その取込ダクト３２を開閉装置により開閉する構成としてもよい。かかる構成では、屋外で騒音が発生した場合に、取込ダクト３２内を開閉装置により閉鎖することになる。この場合、取込ダクト３２内が閉鎖されることで、その取込ダクト３２内を通じて屋外の騒音が各給気通路部４６に入り込むのを抑制することができ、その結果、それら各給気通路部４６を介して屋外の騒音が居室１４〜１６に伝わるのを抑制することができる。つまり、この場合、一の開閉装置により各居室１４〜１６すべてに屋外の騒音が伝わるのを効果的に抑制することができる。また、この場合、開閉装置を１つだけ設ければよいため、上記実施形態の換気システム３０と比べ、開閉装置の設置に関するコスト低減等を図ることもできる。
【００５９】
・上記実施形態では、開閉装置４１を給気グリル３６に設けたが、給気ダクト３４の途中に設けてもよい。その場合にも、開閉装置４１により給気通路部４６を開閉することが可能である。また、開閉装置４１の構成は必ずしも上記実施形態の構成に限定されることはなく、例えば開閉体４２をスライド式にして、そのスライドにより給気通路部４６を開閉する構成としてもよい。また、開閉体４２は必ずしも吸音材４２ｂを有して形成することはなく、吸音材を有さない構成としてもよい。
【００６０】
・上記実施形態では、各給気通路部４６が通じている複数の屋内空間がいずれも居室１４〜１６（居室空間）となっていたが、各給気通路部４６が通じている複数の屋内空間の少なくとも一部が廊下や洗面室等の非居室空間となっていてもよい。
【００６１】
・上記実施形態では、洗面室１７の空気が吸込グリル３７を介して換気装置３１に取り込まれ、その取り込まれた空気が排出ダクト３３を介して屋外へ排出されるようになっている。そのため、排出ダクト３３及び吸込グリル３７等（詳しくはこれら両者３３，３７の内部空間等）により「屋外から屋内へと延びる換気通路」が形成されている。このため、この換気通路を介して屋外の騒音が屋内に入り込むことも想定される。そこで、上記実施形態の構成において、当該換気通路を開閉する開閉装置を設けるようにしてもよい。例えば、かかる開閉装置を、吸込グリル３７に設けることが考えられる。かかる構成においても、屋外で騒音が発生した場合に、当該換気通路を開閉装置により閉鎖すれば、屋外の騒音が洗面室１７に入り込むのを抑制することができる。
【００６２】
・開閉装置４１を個別に開閉操作できる操作部を設けてもよい。その場合、例えばいずれかの居室１４〜１６で夜間にピアノを弾いたり大音量で映画を鑑賞したりする際、その居室に通じる給気通路部４６の開閉装置４１を操作部の操作により閉状態とすることで、当該給気通路部４６を通じてピアノや映画の音が居室から屋外に漏れ出てしまうのを抑制することができる。そのため、夜間等においても近隣に迷惑をかけることなく、ピアノを弾いたりすることが可能となる。
【００６３】
・上記実施形態では、換気システム３０が複数の屋内空間（居室１４〜１６）に屋外の空気を供給する全館式の換気システムとなっていたが、換気システムとしては、一の屋内空間にのみ屋外の空気を供給する構成のものもある。そこで、そのような換気システムに本発明を適用するようにしてもよい。
【符号の説明】
【００６４】
１０…建物、１４〜１６…居室、３０…換気システム、４１…開閉装置、４２…開閉体、４２ｂ…吸音材、４３…開閉駆動部、４６…第２通路部としての給気通路部、４７…換気通路、５１…開閉制御手段及び換気制御手段としてのコントローラ、５３…人検知センサ。
【図１】
2019070489.tif 000003
【図２】
2019070489.tif 000004
【図３】
2019070489.tif 000005
【図４】
2019070489.tif 000006